(57)【要約】      （修正有）【課題】手首、腕、足首等、身体の任意の場所に簡単に装着でき、筋力の弱い高齢者でも１人で片手で簡単に装着できるウェイトトレーニング用ベルトを提供する。【解決手段】おもり部材を内設し、外側面１４と内側面１３の少なくとも二枚の生地を重ねて縫合して形成した本体１と、本体の外側面に設けられると共に全体が帯状であって、一部が本体に縫い付けられ、且つ先端が本体から延出したベルト１１と、ベルトの末端近傍に備えられたベルト通し金具と、本体のベルトが設けられた面の反対面である内側面に備えられた手首を固定する環状部材１６と、を備える。おもり部材は、本体に挿入して設けた内袋の中に合成樹脂被膜を介して粒状金属を入れた構造である。【選択図】図４
0003209609.tif 000002
【実用新案登録請求の範囲】
【請求項１】
おもり部材を内設した本体と、
前記本体の片面に設けられると共に全体が帯状であってその一部が前記本体に縫い付けられ且つその先端が前記本体から延出したベルトと、
前記ベルトの末端近傍に備えられたベルト通し金具と、
前記本体の前記ベルトが設けられた面の反対面に備えられた手首を固定する環状部材と、
を備えたことを特徴とするウェイトトレーニング用ベルト。
【請求項２】
前記おもり部材は、前記本体に設けた内袋の中に合成樹脂被膜を介して粒状金属を入れた構造であることを特徴とする請求項１に記載のウェイトトレーニング用ベルト。
【考案の詳細な説明】
【技術分野】
【０００１】
この考案は、リハビリテーションやスポーツトレーニング用に使用されるリストバンド式のトレーニングウェイトであって、装着が簡単で、筋力の弱い高齢者でも1人で楽に装着できるウェイトトレーニング用具に関する。
【背景技術】
【０００２】
従来より、手首や足首に装着して運動することにより、筋力を鍛錬できるバンドやベルトつきのウェイトトレーニング用具が使用されている。たとえば、特許文献１や特許文献２のように、ウェイトが装着される本体部を、面ファスナーが設けられたベルトで手首に巻き付けて装着するウェイトバンドが考案されている。
【０００３】
ウェイトバンドは、手首や足首等に巻き付けて使用するものであるが、筋力の弱い高齢者等が、1人で装着するのは、手間がかかり、困難を伴う作業である。特許文献１のウェイトバンドも、特許文献２のウェイトトレーナーも、手首に装着する際は、装着する手とは反対の手でベルトを操作しなければならない。重いウェイトを片手で支える不安定な状態で、同時にベルトを留め具となる金属製のバックルや環状具に通して固定する作業は筋力の弱い者には難しい。ベルトの先端を持って、巻き付ける際に、重いウェイトが手首から滑り落ちてしまうことが多い。ウェイトバンドは、足首に装着することもできるが、身体の硬い者にとっては、前かがみになった状態で、それら装着作業を行うこともまた、同様に困難な作業である。
【０００４】
【特許文献１】特開２０１６−０４２９７９号公報
【特許文献２】実用新案登録第３１３６０６７号公報
【考案の概要】
【考案が解決しようとする課題】
【０００５】
そこで、本考案は、手首、腕、足首等、身体の任意の場所に簡単の装着でき、片手で簡単に装着できるウェイトトレーニング用具を提供する。
【課題を解決するための手段】
【０００６】
本考案のウェイトトレーニング用具は、おもり部材を内設した本体と、前記本体の片面に設けられると共に全体が帯状であってその一部が前記本体に縫い付けられ且つその先端が前記本体から延出したベルトと、前記ベルトの末端近傍に備えられたベルト通し金具と、前記本体の前記ベルトが設けられた面の反対面に備えられた手首を固定する環状部材と、を備えたことを特徴とする。
【０００７】
この考案によれば、おもりを内設した本体に環状部材が設けられているため、最初に、当該環状部材で手首や足首等を固定したうえで、ベルトを巻き付けてウェイトトレーニング用具を装着すれば、片手で、簡単に装着作業を行うことができる。
【０００８】
また、本考案のウェイトトレーニング用具のおもり部材は、前記本体に設けた内袋の中に合成樹脂被膜を介して粒状金属を入れた構造であることを特徴とする。
【０００９】
この考案によれば、ウェイトトレーニング用具の内袋に入れられたおもり部材である粒状金属が、ビニール袋その他の合成樹脂被膜を介して封入されているため、ウェイトトレーニング用の表面の布地の布目から粒状金属が漏出することがない。粒状金属の粒が周囲に散らばることがなく、ウェイトトレーニング用具に充填されたおもりの重量が減ることもなく、快適に、ウェイトトレーニングを行うことができる耐久性の高いウェイトトレーニング用具を提供することができる。
【図面の簡単な説明】
【００１０】
【図１】この考案の実施の形態１にかかるウェイトトレーニング用具１００の平面図である。
【図２】図１に示したウェイトトレーニング用具１００の底面図である。
【図３】図１に示したウェイトトレーニング用具１００の背面図である。
【図４】図１に示したウェイトトレーニング用具１００の斜視図である。
【図５】図１に示したウェイトトレーニング用具１００の内部構造を説明するための参考斜視図である。
【図６】図１に示したウェイトトレーニング用具１００の内部に収納された内袋である。
【図７】図１に示したウェイトトレーニング用具１００の使用方法を説明するための参考斜視図である。
【図８】図１に示したウェイトトレーニング用具１００の使用方法を説明するための参考斜視図である。
【図９】図１に示したウェイトトレーニング用具１００の使用方法を説明するための参考斜視図である。
【図１０】図１に示したウェイトトレーニング用具１００の使用方法を説明するための参考斜視図である。
【図１１】図１に示したウェイトトレーニング用具１００の使用方法を説明するための参考斜視図である。
【図１２】図１に示したウェイトトレーニング用具１００の使用方法を説明するための参考斜視図である。
【図１３】図１に示したウェイトトレーニング用具１００の使用方法を説明するための参考斜視図である。
【考案を実施するための形態】
【００１１】
以下、本考案を実施するための最良の形態について、詳細に説明する。
【００１２】
（実施の形態１）
図１は、この考案の実施の形態１にかかるウェイトトレーニング用具１００の平面図である。図２は、図１に示したウェイトトレーニング用具１００の底面図である。図３は、図１に示したウェイトトレーニング用具１００の背面図である。図４は、図１に示したウェイトトレーニング用具１００の斜視図である。図５は、図１に示したウェイトトレーニング用具１００の内部構造を説明するための参考斜視図である。図６は、図１に示したウェイトトレーニング用具１００の内部に収納された内袋である。図７から図１３は、図１に示したウェイトトレーニング用具１００の使用方法を説明するための参考斜視図である。
【００１３】
図１に示すように、本考案の実施の形態１のトレーニング用具は、平面視、おもり部材として粒状金属を充填した内袋１７を収納する内袋収納ポケット１０を複数設けた外側面１４を備えた本体１と、本体１に縫い付けられたベルト１１とを、主に有する。
【００１４】
ウェイトトレーニング用具１００の本体１は、ナイロン素材その他の生地で形成されている。本体１の形状は、横長の楕円形状であって、長手方向の一辺に沿って、開閉部１２が設けられている、開閉部１２は、ファスナーが取り付けられ開閉可能となっている。開閉部１２は、内袋収納ポケット１０の出入口になっており、開閉部１２のファスナーを開けて、内袋収納ポケット１０の中におもり部材である内袋１７を挿入することができる。内袋１７は、開閉部１２から挿入され、内袋収納ポケット１０に収納される。内袋１７を取り出したいときは、同様に、開閉部１２のファスナーを開いて取り出す。本体１の端縁は、端部１８によって補強されている。本体１のベルト１１は、全体が帯状であってその一部が本体１に縫い付けられ、その先端が本体１から延出している。
【００１５】
ベルト１１の末端には、ベルト通し金具１５が設けられている。ベルト通し金具１５は、ベルト１１の幅と略同じ幅の長辺を有する四角形の枠体からなり、素材は金属製である。ベルト通し金具１５は、ベルト１１を通して、本体１を締め付け、手首や足首に巻き付ける際に使用する。ベルト通し金具１５は、実施の形態１では金属製の長方形枠体であるが、ベルト１１が通せる環状の部材であればよい。金属製のほか、木製、プラスチック樹脂製の枠体を用いてもよい。また、長方形状のほか、楕円形、円形としても良く、布で作製したループを縫いつけてベルト通し金具１５としてもよい。
【００１６】
図２に示すように、本体１のベルト１１が設けられているのとは反対の面には、平ゴムが環状になるよう縫い付けてあり、環状部材１６となっている。環状部材１６は、本体１の中央から右寄りの部分に取り付けられている。環状部材１６は、たるみが出るように平ゴムを両端を本体１に縫い付けられ設けられている。すなわち、環状部材１６の平ゴムは、図３に示すように、本体１から浮き上がってアーチ形状となるように取り付けられている。環状部材１６で作られたアーチの中の空間は、手首または足首が挿入できる大きさを有している。環状部材１６に用いられる平ゴムは、幅２センチメートルから５センチメートル程度の平ゴムが望ましい。また、環状部材１６は、細いゴムを二重にして設けてもよい。また、ゴムではなく帯状の布または合成皮革製のベルトを縫いつけて環状部材１６としてもよい。
【００１７】
図４に示すように、本体１は、外側面１４と内側面１４の少なくとも二枚の生地を重ねて縫合して形成したものである。内袋収納ポケット１０内に、もう1枚、裏地を重ねあわせて縫合してもよい。本体１は横長の楕円形状であって、本体１には、短手方向に複数の縫い目が走っている。当該縫い目は、外側面と内側面を重ねて直線状に縫って、いくつかの空間に区切り、複数の内袋収納ポケット１０が構成されている。内袋収納ポケット１０の中には、おもりとなる内袋１７が収納可能である。内袋１７は、重量の違うものが複数用意されており、任意の重量となるよう内袋１７を選択し、内袋収納ポケット１０に収納してウェイトを調整することができる。
【００１８】
本実施の形態１のウェイトトレーニング用具１００は、内袋１７の重量を調節すること、及び、本体１に収納する内袋１７の数を調節することで、幅広い重量のウェイトトレーニング用具１００を提供可能である。たとえば、本実施の形態１のウェイトトレーニング用具１００は、収納する内袋１７の数を変更することで、複数パターンのウェイトに変更可能である。たとえば、本実施の形態１のウェイトトレーニング用具１００は、内袋収納ポケット１０が５つ設けられた構成であるので、１つ重量２００グラム及び４００グラムの２種類の内袋１７を、それぞれ５つずつ用意すれば、２００グラムから２００グラム刻みに、４キログラムまで、１０種類の重量パターンのウェイトトレーニング用具１００を使用することが可能となる。
【００１９】
図５に示すように、内袋収納ポケット１０は、本体１の長手方向の一辺の近傍に設けられた開閉部１２を開閉して内容物を出し入れする。開閉部１２は、本体１の長手方向に沿って両端近傍まで達している。開閉部１２の開閉口にはファスナーが設けられており、所定の内袋１７を挿入したあとは、内袋１７が脱落しないようにファスナーをしっかり閉じるようにする。
【００２０】
実施の形態１では、開閉部１２にファスナーを取り付けてあるが、面ファスナーやスナップボタンその他の開閉部材を取り付けて開閉部１２としても良い。また、開閉部１２は、開口のみとしてファスナーを省略することもできる。内袋収納ポケット１０は、内袋１７と略同じ内寸を有するため、内袋１７を、内袋収納ポケット１０に奥まで挿入すれば、すっぽり安定して収納される。開閉部１２にファスナーその他の留め具がなかったとしても、滑り落ちる恐れは少ない。開閉部１２には、ファスナーその他の留め具を設けて、開閉自在としたほうが見栄えが良いが、製造コストを削減することを優先する場合は、開閉部１２は、ファスナーを省略して開口のみにしてもよい。
【００２１】
図６に示すように、内袋１７は、ナイロンその他のシート素材で作製された小袋であって、おもり素材を密封してある。本実施の形態１では、おもり素材として、粒状の亜鉛金属が充填されている。おもり素材は、亜鉛のほか、鉄粒、ステンレス、アルミニウム、小豆等の豆その他の粒状素材を用いてもよい。一般的に流通しているウェイトトレーニング用ベルトは、おもり素材として砂状の鉄粒を用いているものが多いが、本実施の形態１のウェイトトレーニング用具のおもり素材は、砂状よりも粒の大きい亜鉛粒が用いられる。砂状の鉄粒よりも、若干大き目の粒状亜鉛金属のほうが、手首や足首に密着した際に硬さを感じず、肌の凹凸にほどよくフィットするため、不快感がない。
【００２２】
また、おもり素材に用いられる粒状素材は、ビニール袋等の合成樹脂被膜に内包され、内袋１７に封入される。内袋１７は、ナイロンその他のシート状物から作られているので、粒の細かい素材の場合、内袋１７の布目から、おもり素材が漏出してしまうことがあるが、ビニール袋その他の合成樹脂被膜で、おもり素材である粒状金属を包んで密封し、内袋１７に封入すれば、ビニール袋と、内袋１７の生地とで、おもり素材を二重に封じ込め、おもり素材の漏出が起こらず、何度も繰り返し使えて経済的である。
【００２３】
次に、図７から図１３を示しながら、本考案のウェイトトレーニング用具１００の使用方法について説明する。
【００２４】
本考案のウェイトトレーニング用具１００は、手首に装着して使用することもできるし、足首に装着して使用することもできる。ここでは、手首に装着する例を説明する。まず最初に、図７に示すように、本考案のウェイトトレーニング用具１００を、環状部材１６が設けられた面を上にして、平らな場所に置く。それから、手首を環状部材１６の環の中に通す。手首を通したあと、腕から手先までは、真っすぐに伸ばし、指は、軽く握った状態にしておくと、ウェイトトレーニング用具１００を装着しやすい。それから、本体１の短手方向の端であって、ベルト１１が延伸していない側の端を、中央に折り返して、図８に示すように手首の上側に、手首を包みこむように巻き付ける。
【００２５】
本体１の短手方向の端であって、ベルト１１が設けられている端と対向する端には、ベルト通し金具１５が設けられている。ベルト通し金具１５は、ベルト１１が設けられている本体１の表面に縫い付けられているので、手首に巻き付けると、ちょうど、外側にベルト通し金具１５が位置することになる。ベルト通し金具１５は、先端近傍であるが、ベルト通し金具１５全体が、本体１の枠内におさまる位置、すなわち、枠１８よりも内側に取り付けられている。ベルト通し金具１５が、本体１の枠から、はみでない位置に取り付けられていることで、本体１を手首に装着した際、ベルト通し金具１５が直接手首に触れる不快感を予防できる。
【００２６】
図９に示すように、ベルト１１の先端を、ベルト通し金具１５に通し、先端を引っ張って、本体１を手首に巻き付ける。先端を引っ張って巻き付ける際、あまりきつく締め付けると、運動する際に、うっ血したり、血流が滞るので、すこし余裕をもたせて、ゆったりと巻き付けるようにする。ウェイトトレーニング用具１００は、内側となる面に、環状部材１６が設けられ、手首が環状部材１６で固定されているので、緩く巻いても、運動の際に抜け落ちる心配がない。
【００２７】
本体１に取り付けられたベルト１１は、表面全体が、面ファスナーとなっている。実施の形態１では、ベルト１１の先端から１０センチ程度の部分までは、面ファスナーのループ面であり、残りの部分はフック面である。図１０に示すように、手首や足首に、しっかりと装着するためには、面ファスナーのループ面は、５センチから１５センチのあいだが良い。先端以外の部分が、フック面となっていることで、手首や足首、大柄な人から小柄な人まで、どのような太さのところにも、しっかりと装着することができる。
【００２８】
本考案のウェイトトレーニング用具１００は、、本体１を平らな台等に広げて置いて、手首を環状部材１６に通して装着する装着方法のほか、近くに、平らな台がない場所でも、簡単に装着可能である。環状部材１６が設けられていることによって、まず最初に、手首を環状部材１６に通してしまえば、本体１が手首に仮固定される。図１１に示すように、他方の手で、ベルト１１の先端をつまんで、ベルト通し金具１５にベルトを通したあと、ベルト１１を引っ張れば、ウェイトトレーニング用具１００を、ほどよく締め付け、簡単に装着できる。図１２に示すように、ウェイトトレーニング用具１００を装着できたら、そのまま、その場で腕を上げ下ろしして、筋力トレーニングを行う。
【００２９】
本考案のウェイトトレーニング用具１００は、腕のみ、足のみ、筋力を部分的にトレーニングすることが可能である。たとえば、腰に持病があって、長時間立っていることができず、ウォーキング運動等も制限がある持病を持つ者や高齢者でも、椅子に座った状態で、手首にウェイトトレーニング用具１００を装着すれば、座ったまま、腕のトレーニングができ、腕の筋力を強化することができる。
【００３０】
本考案のウェイトトレーニング用具は、中に入っている内袋１７の重量を調節自在であるため、個々人に適したウェイトを提供することができる。また、内袋１７は、内袋収納ポケット１０から出し入れ自在であるため、取り外して、本体１のみ洗濯すれば、いつも清潔に使用することができる。ウェイトトレーニング用具１００は、地肌に直絶触れること、そのまま運動を行うことから、本体１を頻繁に洗濯できることは大変有用である。
【符号の説明】
【００３１】
１００  ウェイトトレーニング用具
１    本体
１０  内袋収納ポケット
１１  ベルト
１２  開閉部
１３  内側面
１４  外側面
１５  ベルト通し金具
１６  環状部材
１７  内袋
１８  縁部
１９  タグ
Ｔ    手
Ｈ    人
【図１】
0003209609.tif 000003
【図２】
0003209609.tif 000004
【図３】
0003209609.tif 000005
【図４】
0003209609.tif 000006
【図５】
0003209609.tif 000007
【図６】
0003209609.tif 000008
【図７】
0003209609.tif 000009
【図８】
0003209609.tif 000010
【図９】
0003209609.tif 000011
【図１０】
0003209609.tif 000012
【図１１】
0003209609.tif 000013
【図１２】
0003209609.tif 000014
【図１３】
0003209609.tif 000015